(57)【特許請求の範囲】
【請求項１】
塗布材を収納するホッパーと、前記塗布材を下方向に向って内側方向に回転させながら地面に噴射する一対の回転体と、前記ホッパー内に設けた塗布材流出口シャッターと、前記両回転体の下方位置に、回転体から噴射される塗布材を遮断する塗布材遮断シャッターとを設けてなる噴射式道路標示塗布装置において、前記塗布材遮断シャッターを回転体の一側部と下方位置との範囲において回動自在に設けると共に、前記塗布材遮断シャッターは、両回転体の軸方向の長さと実質的にほぼ等しい長さの幅を有し、回転体の一側部上方所要位置に支点を設けた回動アームに取り付けられ、かつ前記回動アームは、塗布材遮断シャッターを開回動した時に、地面に対し斜めもしくはほぼ起立状態となり、塗布材遮断シャッターを閉回動した時に、地面に対しほぼ平行状態となる、ほぼ６０度の鋭角度に折曲したことを特徴とする噴射式道路標示塗布装置。
【発明の詳細な説明】
【０００１】
【発明の属する技術分野】
本発明は、噴射式道路標示塗布装置に関するものである。
【０００２】
【従来の技術】
従来の、この種噴射式道路標示塗布装置としては、例えば図６に示すように公知である。（例えば特開昭５５−１５５７５６号公報参照）
すなわち、地上ＧＬより離間した２個の円筒回転体２１，２２は、地面に対して平行かつ等距離に並列して配設している。２個の円筒回転体２１，２２は、図示しない動力によって、それぞれ矢印で示す方向に両円筒回転体２１，２２の母線を接しつつ下方に向って内接方向に回転している。２３は、塗布材タンクで、２４は、この塗布材タンク２３と前記円筒回転体２１，２２との間に配設した流下コックである。２５，２５ａは、この流下コック２４に連動して水平に開閉作動する開閉シャッターである。
【０００３】
このような装置において、流下コック２４を開くと、開閉シャッター２５，２５ａも水平に開いて、塗布材タンク２３内の塗布材は、この塗布材タンク２３の下部に設けた塗布材流出口２３ａの直下にある両円筒回転体２１，２２の内接方向に流下すると同時に、下方向に向って円筒回転体２１の回転による遠心力と反撥力で微霧化して地上ＧＬの路面上に噴射して、道路標示塗装２６が行われるものである。
また、前記流下コック２４を閉じると、開閉シャッター２５，２５ａも閉じるから、直ちに塗布材の流出は止まり、道路標示塗装を止めることができる。
【０００４】
【発明が解決しようとする課題】
このような従来の噴射式道路標示塗布装置においては、流下コック２４に連動する開閉シャッター２５，２５ａが水平に開閉作動するため、塗布材が両円筒回転体２１，２２間から地上ＧＬの路面上に噴射される際、開閉シャッター２５，２５ａに付着するため、この塗布材が下方に垂れ下がり、施工中の道路標示塗装面を汚してしまうおそれがあった。また、開閉シャッター２５，２５ａに付着する塗布材が固まってしまい、歩留まりが悪いという問題点があった。
また、前記開閉シャッター２５，２５ａを広く水平開閉するためには、大きな作動力を必要とし、構造が大型となり、コスト高となるという問題点があった。
【０００５】
【課題を解決するための手段】
本発明の噴射式道路標示塗布装置は、上記問題点を解決することを目的とし、塗布材を収納するホッパーと、前記塗布材を下方に向って内側方向に回転させながら地面に噴射する一対の回転体と、前記ホッパー内に設けた塗布材流出口シャッターと、前記両回転体の下方位置に、回転体から噴射される塗布材を遮断する塗布材遮断シャッターとを設けてなる噴射式道路標示塗布装置において、前記塗布材遮断シャッターを少なくとも回転体の一側部と下方位置との範囲において回動自在に設けると共に、前記塗布材遮断シャッターは、両回転体の軸方向の長さと実質的にほぼ等しい長さの幅を有し、回転体の一側部上方所要位置に支点を設けた回動アームに取り付けられ、かつ前記回動アームは、塗布材遮断シャッターを開回動した時に、地面に対し斜めもしくはほぼ起立状態となり、塗布材遮断シャッターを閉回動した時に、地面に対しほぼ平行状態となる、ほぼ６０度の鋭角度に折曲したことを特徴とする。
【００１０】
【発明の実施の形態】
以下、本発明に係る噴射式道路標示塗布装置の一実施例における具体的形態について、図１乃至図５を参照して説明する。
図１は、本発明に係る噴射式道路標示塗布装置において、塗布材流出口シャッターおよび塗布材遮断シャッターを閉じた時の断面図を示し、図２は、同装置において、塗布材流出口シャッターおよび塗布材遮断シャッターを開いた時の断面図を示す。図３は、案内板の斜視図を示し、図４は、塗布材遮断シャッターと一対のアームの斜視図を示す。図５は、バーナーを示す斜視図である。
【００１１】
図１乃至図５において、１は円筒形ブラシ回転体であつて、地上より離間した状態で設けられている。２はこの円筒形ブラシ回転体１に平行して並列に設けられた円筒形ドラム回転体であり、金属材でもプラスチックス材でも良く、またスプラインロールでも良い。
前記円筒形ブラシ回転体１と円筒形ドラム回転体２は、下方向に向って内側方向に図示しない動力によって回転している。この両回転体１，２によって噴射手段を構成している。
１ａは、円筒形ブラシ回転体１の回転軸であり、２ａは、円筒形ドラム回転体２の回転軸である。
前記円筒形ブラシ回転体１の回転速度（周速度）を円筒形ドラム回転体２の回転速度より約２倍に速めている。
【００１２】
なお、本実施例では、２個の回転体の内、一方の回転体を円筒形ブラシ体とし、他方の回転体を円筒形ドラム体として、進行方向後部側の回転体の回転速度を進行方向前部側の回転体の回転速度より速めているが、これに限らず、進行方向前部側の回転体の回転速度を進行方向後部側の回転体の回転速度より速めても良いし、両回転体の回転速度を等速にしても良い。
また、２個の回転体の両方を円筒形ドラム体として、互いに回転体の回転速度を変えても良いし、等速にしても良い。
【００１３】
３は塗布材ホッパーで、この塗布材ホッパー３内には塗布材４が収納されている。この塗布材ホッパー３の下方両サイドには、カバー部５，６が設けられており、これらのカバー部５，６によって塗布材流出口７が設けられている。
このカバー部５，６内には、それぞれ前記円筒形ブラシ回転体１と円筒形ドラム回転体２が位置している。前記カバー部５には、コーナー凸部５ａが設けられ、前記カバー部６には、シャッターガイド部６ａが設けられている。
なお、塗布材４としては、溶融性のものが最適である。
【００１４】
８は、前記塗布材ホッパー３の内部に、図示しないエアーシリンダーで上下に作動するように取り付けられている塗布材流出口シャッターで、全体が板状をなしている。この塗布材流出口シャッター８は、前記両回転体１，２の軸方向の長さと実質的にほぼ等しい長さの幅を有し、その先端の一方の面には、この塗布材流出口シャッター８を閉じた時に、前記塗布材流出口７を形成する所要角度を有するコーナー凸部５ａに実質的に一致する凹部８ａが設けられ、他方の面には、前記塗布材流出口シャッター８の開閉時、前記シャッターガイド部６ａにガイドする垂直部８ｂが設けられている。しかも、この垂直部８ｂは進行方向の前方に形成している。
９，９ａ（図３）は、それぞれ下部に設けた案内板であり、地面に噴射される塗布材の跳ね返りを防止している。
【００１５】
１０は、前記両回転体１，２の下方位置に配設した金属材よりなる塗布材遮断シャッターであり、両回転体１，２の軸方向の長さと実質的にほぼ等しい長さの幅を有し、回転体の一側部上方所要位置に支点を設けた下記回動アームに取り付けられている。
【００１６】
１１は、両回転体１，２の軸方向に設けた一対の回動軸１０ａに、その一端１１ａをそれぞれ回動自在に枢軸している例えばほぼ６０度の鋭角に折曲した一対の回動アームであり、塗布材遮断シャッターを開回動した時に、地面に対し斜めもしくはほぼ起立状態となり、塗布材遮断シャッターを閉回動した時に、地面に対しほぼ平行状態となる角度に折曲してある。
この一対の回動アーム１１の他端１１ｂには、塗布材遮断シャッター１０を回動して閉じた時に、この塗布材遮断シャッター１０が両回転体１，２の接点下方位置に位置するよう設けられている。この塗布材遮断シャッター１０の回動力は、図示しないエアシリンダから得ているが、一対の回動アーム１１は、例えばほぼ６０度の鋭角に折曲したので、塗布材遮断シャッター１０の重量加速によりエアシリンダのパワーが弱くても迅速に作動し、従って、エアシリンダは小型で良く、構造も簡単となり、低コストとなる。
なお、前記アーム１１の折曲角度を例えばほぼ６０度の鋭角としたが、特許請求の範囲を逸脱しない範囲内で、これ以外の所要角度でも良いこと勿論である。
【００１７】
１２は、図２に示すように前記塗布材遮断シャッター１０を開回動した時に、塗布材遮断シャッター１０に付着している塗布材を熱で溶除させるためのバーナー（図５）であり、開状態における前記塗布材遮断シャッター１０に近接固設している。
このように、前記塗布材遮断シャッター１０は金属材からなる熱伝導性材であり、この塗布材遮断シャッター１０を開回動した時に、この塗布材遮断シャッター１０に付着している塗布材を熱で溶除させるためのバーナー１２を、前記塗布材遮断シャッター１０に近接固設したので、施工中、標示形成前に塗布材遮断シャッター１０に付着している塗布材を、熱で小さなツブ状にして落下させ、その直後に新しく標示形成するので、標示塗装面には全く影響がなく、仕上がりが綺麗になる。
【００１８】
なお、本発明の実施例では、バーナー１２を、開状態における前記塗布材遮断シャッター１０に近接して設けているが、これに限らず、この塗布材遮断シャッター１０を熱伝導性材とし、この塗布材遮断シャッター１０を例えばニクロム線による熱源により必要に応じて加熱して、施工中、標示形成前に塗布材遮断シャッター１０に付着している塗布材を、熱で小さなツブ状にして落下させるようにしても良い。
【００１９】
このように構成した本発明に係る噴射式道路標示塗布装置によれば、前記塗布材流出口シャッター８を開くと、塗布材ホッパー３内の塗布材４は、この塗布材ホッパー３の下部に設けたカバー部５のコーナー凸部５ａとカバー部６のシャッターガイド部６ａとによって形成された塗布材流出口７の直下にある両回転体１，２の内側方向に均一に定量流下し、塗布材流出口７に溜まるようになる。
前記塗布材流出口シャッター８を開き、前記塗布材遮断シャッター１０を回動して開き、前記両回転体１，２により均一に定量流下した塗布材４を、下方向に向って前記円筒形ブラシ回転体１と円筒形ドラム回転体２との回転による遠心力および反撥力などの作用で両回転体１，２の幅一杯に均一な微霧化噴射（４ａ）して路面ＧＬに叩きつけ、塗膜１３を接着せしめて均一な道路標示塗装を行うことができるものである。
【００２０】
前記塗布材流出口シャッター８を閉じた時には、前記塗布材の両回転体側流入を遮断すると同時に、前記塗布材遮断シャッター１０を回動して閉じ、前記両回転体１，２による噴射を遮断するようにして、直ちに塗布材４の流出を止め、道路標示塗装を止めることができる。
【００２１】
特に、道路路面上に破線を形成する時は、最初、前記塗布材流出口シャッター８を開き、前記塗布材遮断シャッター１０を開回動させて図２に示すごとき状態にして、塗布材４を噴射（４ａ）して路面ＧＬに叩きつけ塗膜１３を接着せしめて均一な道路標示塗装を行い、破線形成終了時には、前記塗布材流出口シャッター８を閉じると同時に、前記塗布材遮断シャッター１０を回動させて図１に示すごとき状態にする。この動作を繰り返して連続的に破線を形成していく。
さらに、破線の先端部および後端部を綺麗に仕上げるためには、これら先端部および後端部にテープを貼って噴射させ、その後このテープを剥がすことにより可能となる。
【００２２】
【発明の効果】
本発明に係る噴射式道路標示塗布装置によれば、塗布材を収納するホッパーと、前記塗布材を下方向に向って内側方向に回転させながら地面に噴射する一対の回転体と、前記ホッパー内に設けた塗布材流出口シャッターと、前記両回転体の下方位置に、回転体から噴射される塗布材を遮断する塗布材遮断シャッターとを設けてなる噴射式道路標示塗布装置において、前記塗布材遮断シャッターを少なくとも回転体の一側部と下方位置との範囲において回動自在に設けたので、前記塗布材ホッパー内の塗布材を両回転体の内側方向に均一に定量送りが可能となり、塗膜に厚さムラなどが生じなく、仕上がりが向上するばかりでなく、この塗布材が下方に垂れ下がったりして、施工中の道路標示塗装面を汚してしまうおそれは全くなく、また、歩留まりも良くなるなどの効果がある。
【００２３】
また、本発明の噴射式道路標示塗布装置における塗布材遮断シャッターは、両回転体の軸方向の長さと実質的にほぼ等しい長さの幅を有し、回転体の一側部上方所要位置に支点を設けた回動アームに取り付けられており、また、この回動アームは、塗布材遮断シャッターを開回動した時に、地面に対し斜めもしくはほぼ起立状態となり、塗布材遮断シャッターを閉回動した時に、地面に対しほぼ平行状態となる角度に折曲したので、塗布材遮断シャッターの重量加速によりエアシリンダのパワーが弱くても迅速に作動し、従って、エアシリンダは小型で良く、構造も簡単となり、低コストとなるなどの効果がある。
【図面の簡単な説明】
【図１】本発明に係る噴射式道路標示塗布装置の一実施例における塗布材流出口シャッターおよび塗布材遮断シャッターを閉じた時の断面図である。
【図２】同装置における塗布材流出口シャッターおよび塗布材遮断シャッターを開いた時の断面図である。
【図３】同装置における案内板の斜視図である。
【図４】同装置における塗布材遮断シャッターと一対のアームの斜視図である。
【図５】同装置におけるバーナーを示す斜視図である。
【図６】従来の噴射式道路標示塗布装置を示す説明図である。
【符号の説明】
１      円筒形ブラシ回転体
１ａ    円筒形ブラシ回転体１の回転軸
２      円筒形ドラム回転体
２ａ    円筒形ドラム回転体２の回転軸
３      塗布材ホッパー
４      塗布材
４ａ    噴射
５      カバー部
５ａ    コーナー凸部
６      カバー部
６ａ    シャッターガイド部
７      塗布材流出口
８      塗布材流出口シャッター
８ａ    凹部
８ｂ    垂直部
９      案内板
９ａ    案内板
１０    塗布材遮断シャッター
１０ａ  回動軸
１１    回動アーム
１１ａ  回動アームの一端
１１ｂ  回動アームの他端
１２    バーナー
１３    塗膜
ＧＬ    路面
【図１】
0003598456.tif 000002
【図２】
0003598456.tif 000003
【図３】
0003598456.tif 000004
【図４】
0003598456.tif 000005
【図５】
0003598456.tif 000006
【図６】
0003598456.tif 000007